(57)【特許請求の範囲】
【請求項１】
正面にパネルを固定可能なパネル取付構造であって、
パネルを裏面から支持する縁枠材と、
前記縁枠材に回動可能に取り付けられる回動部材と、
前記回動部材を前記縁枠材に固定するためのネジ部材と、
を備え、
前記回動部材は、前記縁枠材の正面に臨むように突出した押さえ部と、前記ネジ部材を取り付け可能なネジ取付部と、前記押さえ部と前記ネジ取付部との間に設けられて前記縁枠材に回動可能に係合する回動部と、を備え、
前記ネジ取付部に取り付けた前記ネジ部材を締め込んだときに、前記押さえ部が前記縁枠材の正面に押し付けられ、前記押さえ部と前記縁枠材とでパネルを挟み込んで固定可能としたことを特徴とする、パネル取付構造。
【請求項２】
前記縁枠材は、前記ネジ部材の先端を受けるネジ受部を備え、
前記ネジ受部の表面は曲面で形成されていることを特徴とする、請求項１記載のパネル取付構造。
【請求項３】
前記ネジ部材の先端を曲面で形成したことを特徴とする、請求項２記載のパネル取付構造。
【請求項４】
前記押さえ部の内側面を円弧状としたことを特徴とする、請求項１〜３のいずれか１項に記載のパネル取付構造。
【発明の詳細な説明】
【技術分野】
【０００１】
この発明は、例えば工事用の立て看板などに使用可能なパネル取付構造に関する。
【背景技術】
【０００２】
従来、工事現場などにおいて脚立状の簡便な構造の立て看板が使用されている。
【０００３】
この種の立て看板に使用される構造として、例えば特許文献１には、縁枠の正面にパネルを押さえこんで取り付けた構造が開示されている。この特許文献１記載の構造においては、方形に組み合わせた縁枠の正面にパネルを重ね、このパネルを、断面がほぼアングル状の押さえプレートにより縁枠に押し付けて固定している。前記押さえプレートは、縁枠の周面であるそれぞれの框材の外側面へ被さる主部と、框材の正面へ被さる状態で前記パネルを押し付けるパネル押さえ部と、框材の背面側の外角部へ引っ掛けられる断面鉤状の引掛部とから構成され、前記主部を複数のねじによりそれぞれの框材へ固定するようにしている。
【０００４】
このような構成によれば、パネルの縁枠への取り付け及び取り替えが容易となり、また、パネルの所定範囲内での厚みの変更に対応することができるとされている。
【先行技術文献】
【特許文献】
【０００５】
【特許文献１】特開２００２−１８０４２６号公報
【発明の概要】
【発明が解決しようとする課題】
【０００６】
しかし、上記した特許文献１記載の構造は、アングル状の押さえプレートを使用したものであり、押さえプレートのアングル部と縁枠の角とを重なり合わせて固定する構造であった。すなわち、パネルを挟み込んだときに縁枠に対する押さえプレートの角度が固定であるため、パネルの厚みに応じて押さえプレートの角度を変えることができなかった。よって、特許文献１記載の構造では、対応可能なパネルの厚みの範囲が限定的とならざるを得なかった。
そこで、本発明は、パネルの厚みが大きく異なる場合でも同じ構造で対応することができるパネル取付構造を提供することを課題とする。
【課題を解決するための手段】
【０００７】
本発明は、上記した課題を解決するためになされたものであり、以下を特徴とする。
【０００８】
請求項１記載の発明は、正面にパネルを固定可能なパネル取付構造であって、パネルを裏面から支持する縁枠材と、前記縁枠材に回動可能に取り付けられる回動部材と、前記回動部材を前記縁枠材に固定するためのネジ部材と、を備え、前記回動部材は、前記縁枠材の正面に臨むように突出した押さえ部と、前記ネジ部材を取り付け可能なネジ取付部と、前記押さえ部と前記ネジ取付部との間に設けられて前記縁枠材に回動可能に係合する回動部と、を備え、前記ネジ取付部に取り付けた前記ネジ部材を締め込んだときに、前記押さえ部が前記縁枠材の正面に押し付けられ、前記押さえ部と前記縁枠材とでパネルを挟み込んで固定可能としたことを特徴とする。
【０００９】
請求項２に記載の発明は、上記した請求項１に記載の発明の特徴点に加え、前記縁枠材は、前記ネジ部材の先端を受けるネジ受部を備え、前記ネジ受部の表面は曲面で形成されていることを特徴とする。
【００１０】
請求項３に記載の発明は、上記した請求項２に記載の発明の特徴点に加え、前記ネジ部材の先端を曲面で形成したことを特徴とする。
【００１１】
請求項４に記載の発明は、上記した請求項１〜３のいずれかに記載の発明の特徴点に加え、前記押さえ部の内側面を円弧状としたことを特徴とする。
【発明の効果】
【００１２】
請求項１に記載の発明は上記の通りであり、縁枠材に回動可能に取り付けられる回動部材の一端側に押さえ部を設けるとともに、他端側にネジ取付部を設け、前記ネジ取付部に取り付けた前記ネジ部材を締め込んだときに、前記押さえ部が前記縁枠材の正面に押し付けられ、前記押さえ部と前記縁枠材とでパネルを挟み込んで固定可能とした。このような構造によれば、パネルの厚みに応じて回動部材を回動させ、ネジ部材の締め込みを調整することで角度を変えて固定することができるので、様々なパネルの厚みに対応することができる。
【００１３】
また、請求項２に記載の発明は上記の通りであり、前記縁枠材は、前記ネジ部材の先端を受けるネジ受部を備え、前記ネジ受部の表面は曲面で形成されている。このような構造によれば、回動部材をどのような角度で固定した場合でも、ネジ部材の先端とネジ受部との接触面積を大きくすることができるので、異なる厚みのパネルを安定して固定することができる。
【００１４】
また、請求項３に記載の発明は上記の通りであり、前記ネジ部材の先端を曲面で形成したので、ネジ受部の曲面との接触面積を大きくすることができるので、パネルを更に安定して固定することができる。
【００１５】
また、請求項４に記載の発明は上記の通りであり、前記押さえ部の内側面を円弧状としたので、回動部材を回動させたときでも、押さえ部の内側面がパネルに干渉しにくい構造とすることができる。
【図面の簡単な説明】
【００１６】
【図１】立て看板の（ａ）側面図、（ｂ）正面図である。
【図２】立て看板のＸ−Ｘ断面図である。
【図３】パネル取付構造の構成部品を説明する図である。
【図４】パネル取付構造の作動状況を説明する図である。
【発明を実施するための形態】
【００１７】
本発明の実施形態について、図を参照しながら説明する。
【００１８】
本実施形態に係るパネル取付構造は、例えば図１に示すような立て看板１０に使用されるものであり、正面に方形のパネル４０を固定可能となっている。このパネル取付構造は、パネル４０を裏面から支持するために四方に枠組みされる４本の縁枠材１１と、縁枠材１１に回動可能に取り付けられる回動部材２０と、回動部材２０に取り付けられるクリップナット３５と、回動部材２０を縁枠材１１に固定するためのネジ部材３０と、を備える。
【００１９】
四方に枠組みされた４本の縁枠材１１は、図１及び図２に示すように、それぞれパネル４０の上端部４０ａ、下端部４０ｂ、左端部４０ｃ、右端部４０ｄの裏面に当接しており、パネル４０を裏面から支持している。
【００２０】
本実施形態に係る縁枠材１１は、アルミニウム等の押出形材からなる。この縁枠材１１は、図３に示すように、断面略四角形で中空の柱部１２と、この柱部１２から突出した突出脚部１３と、突出脚部１３の先端に設けられた筒状の回動軸部１４と、を備える。
【００２１】
柱部１２は、４つの面を備えた柱状部材であり、パネル４０の裏面に当接する正面１２ａと、正面１２ａの反対側に設けられた背面１２ｂと、四方枠組みの内側に向いた内側面１２ｃと、四方枠組みの外側に向いた外側面１２ｄと、を備える。このうち、外側面１２ｄの表面は凹状の曲面を有しており、この凹状の曲面によってネジ受部１２ｅが形成されている。ネジ受部１２ｅは、後述するネジ部材３０の先端３３を受けるための部位である。
【００２２】
突出脚部１３は、正面１２ａと外側面１２ｄとの間の角部から斜め方向に突出している。この突出脚部１３は、後述する回動軸部１４を柱部１２から離れた位置で支持するためのものである。
回動軸部１４は、回動部材２０の回動軸となるパイプ状の部位であり、周面の一部に前述した突出脚部１３が接続されている。
【００２３】
回動部材２０は、アルミニウム等の押出形材からなる。この回動部材２０は、四方に枠組みされた４本の縁枠材１１のそれぞれに対応して４本使用される。それぞれの回動部材２０は、対応する縁枠材１１と略同じ長さで形成されている。この回動部材２０は、図３に示すように、縁枠材１１に回動可能に係合する回動部２１と、回動部２１の一端側に設けられる押さえ部２２と、回動部２１の他端側に設けられるネジ取付部２５と、を備える。押さえ部２２とネジ取付部２５とは、図４に示すように、回動部２１を挟んでＬ字形に設けられている。この回動部材２０が縁枠材１１に取り付けられると、押さえ部２２が柱部１２の正面１２ａに臨み、ネジ取付部２５が柱部１２の外側面１２ｄに臨むようになっている。
【００２４】
回動部２１は、縁枠材１１の回動軸部１４に係合する略Ｃ字形の内周面を有している。この回動部２１が縁枠材１１の回動軸部１４に係合することで、回動部材２０と縁枠材１１とが所定角度の範囲で互いに回動自在となっている。この回動部２１を回動軸部１４に係合させるときには、回動部２１の端部から回動軸部１４の端部を挿入し、スライドさせて係合させる。なお、回動部２１が回動軸部１４から外れないようにするために、回動部２１の略Ｃ字形の内周面は１８０度以上になっている。ただし、回動部２１の略Ｃ字形の内周面が大きすぎると、縁枠材１１に対する回動部材２０の回動可能範囲が小さくなってしまう。本実施形態においては、回動部２１の略Ｃ字形の内周面を１９０〜２１０度とすることで、回動部２１が回動軸部１４から外れず、かつ、回動部材２０の回動可能範囲を大きく確保できるようにしている。
【００２５】
押さえ部２２は、縁枠材１１の柱部１２の正面１２ａに臨むように、回動部２１から突出した鉤状の部位である。この押さえ部２２は、後述するネジ部材３０を締め込んだときに、縁枠材１１の正面１２ａに押し付けられ、これにより縁枠材１１と協働してパネル４０を挟み込んで固定する。この押さえ部２２の先端には、パネル４０に当接してパネル４０を押さえつけるための当接部２４が設けられている。この当接部２４は、回動部材２０が回動部２１を中心に回動したときに、縁枠材１１の正面１２ａに対して接近または離反するようになっている。このため、回動部材２０を回動させることで、当接部２４と縁枠材１１の正面１２ａとの間の距離をパネル４０の厚みに合わせて変更できるようになっている。なお、この当接部２４の先端面は曲面で形成されている。当接部２４の先端面を曲面で形成することで、縁枠材１１に対する回動部材２０の角度が変化したときでも、この角度の変化が当接部２４とパネル４０との接触に影響を与えないようになっている。
【００２６】
また、押さえ部２２の内側面２３は、図３に示すように円弧状となっており、回動部材２０を回動させたときに押さえ部２２の内側面２３がパネル４０に干渉しないようになっている。すなわち、図４（ｂ）に示すように、押さえ部２２の内側面２３を円弧状とすることで、内側面２３とパネル４０との間にスペースＳが設けられており、当接部２４以外の部分がパネル４０に干渉しないようになっている。
【００２７】
ネジ取付部２５は、回動部２１から突出した板状の部位であり、ネジ部材３０を取り付け可能に形成されている。このネジ取付部２５には、ネジ部材３０を挿通するためのネジ孔２６が穿設されている。
【００２８】
クリップナット３５は、図３に示すように、平板状の金属をコの字形状に曲げて形成された部材であり、上記したネジ取付部２５に外側から装着される部材である。このクリップナット３５は、上下のクリップベース３５ａ，３５ｂでネジ取付部２５を挟み込んで取り付けられる。上下のクリップベース３５ａ，３５ｂには、互いに重なり合う位置に固定穴３５ｃ，３５ｄが貫通形成されている。この固定穴３５ｃ，３５ｄは、ネジ部材３０の軸部３２に形成された雄ねじに螺合するように形成されている。
【００２９】
ネジ部材３０は、回動部材２０を縁枠材１１に固定するために使用される。このネジ部材３０は、クリップナット３５を使用して回動部材２０のネジ取付部２５に取り付けられる。具体的には、まず、固定穴３５ｃ，３５ｄとネジ孔２６とが重なり合うようにネジ取付部２５にクリップナット３５を取り付ける。そして、固定穴３５ｃ，３５ｄとネジ孔２６とを貫通するようにネジ部材３０の軸部３２を挿入し、螺合させる。
【００３０】
なお、このようにネジ取付部２５に取り付けたネジ部材３０を締め込んでいくと、ネジ部材３０の先端３３が前進することになる。前進したネジ部材３０の先端３３が縁枠材１１のネジ受部１２ｅに押し付けられると、徐々に回動部材２０が回動し、回動部材２０の押さえ部２２によってパネル４０が挟み込まれていく。そして、更にネジ部材３０を強く締め込むと、押さえ部２２とネジ部材３０の先端３３とが突っ張った状態になり、それ以上は回動部材２０が回動できなくなる。このように回動部材２０が回動できなくなるまでネジ部材３０を締め込むことで、回動部材２０が縁枠材１１に固定されるとともに、回動部材２０と縁枠材１１とでパネル４０を挟み込んで固定できるようになっている。
【００３１】
上記したパネル取付構造でパネル４０を固定するときには、図４（ｂ）に示すように、まずネジ部材３０を緩めて後退させ、回動部材２０が自由に回動できるようにする。そして、押さえ部２２と柱部１２の正面１２ａとの間にパネル４０を差し込み、ネジ部材３０を締め付ける。ネジ部材３０を締め付けると、ネジ部材３０の先端３３がネジ受部１２ｅに当たる。更にネジ部材３０を締め付けると、ネジ部材３０はネジ受部１２ｅに当たって前進できないので、ネジ取付部２５が四方枠組みの外側方向へと回動する方向に力が働く。この力により、押さえ部２２が縁枠材１１の正面１２ａに押し付けられ、パネル４０が挟み込まれる。ネジ部材３０を目一杯まで締め付ければ、押さえ部２２と縁枠材１１とで強固にパネル４０を挟み込んで固定することができる。
【００３２】
このように固定したパネル４０を取り外す際には、ネジ部材３０を緩めればよい。ネジ部材３０を緩めることで、押さえ部２２を縁枠材１１の正面１２ａに押し付けていた力が解除されるので、パネル４０を容易に取り外すことができる。
【００３３】
以上説明したように、本実施形態によれば、縁枠材１１に回動可能に取り付けられる回動部材２０の一端側に押さえ部２２を設けるとともに、他端側にネジ取付部２５を設け、前記ネジ取付部２５に取り付けた前記ネジ部材３０を締め込んだときに、前記押さえ部２２が前記縁枠材１１の正面に押し付けられ、前記押さえ部２２と前記縁枠材１１とでパネル４０を挟み込んで固定可能とした。このような構造によれば、パネル４０の厚みに応じて回動部材２０を回動させ、ネジ部材３０の締め込みを調整することで角度を変えて固定することができるので、様々なパネル４０の厚みに対応することができる。
【００３４】
また、前記縁枠材１１は、前記ネジ部材３０の先端３３を受けるネジ受部１２ｅを備え、前記ネジ受部１２ｅの表面は曲面で形成されている。このような構造によれば、回動部材２０をどのような角度で固定した場合でも、ネジ部材３０の先端３３とネジ受部１２ｅとの接触面積を大きくすることができるので、異なる厚みのパネル４０を安定して固定することができる。
【００３５】
また、前記押さえ部２２の内側面２３を円弧状としたので、回動部材２０を回動させたときでも、押さえ部２２の内側面２３がパネル４０に干渉しにくい構造とすることができる。
【００３６】
なお、上記した実施形態においては特に説明していないが、ネジ部材３０の先端３３を曲面で形成してもよい。その際のネジ部材３０の先端３３の曲率は、ネジ受部１２ｅの曲率と略同じに設定してもよい。ネジ部材３０の先端３３を曲面で形成すれば、ネジ部材３０の先端３３とネジ受部１２ｅとの接触面積を大きくすることができ、様々な厚みのパネル４０を更に安定して固定することができる。また、ネジ部材３０を締め付けたときに、ネジ部材３０の先端３３がネジ受部１２ｅ上を滑りやすくなるので、回動部材２０が回動しやすくなる。すなわち、押さえ部２２を縁枠材１１の正面１２ａに押し付ける動作をスムーズに行うことができる。
【符号の説明】
【００３７】
１０  立て看板
１１  縁枠材
１２  柱部
１２ａ  正面
１２ｂ  背面
１２ｃ  内側面
１２ｄ  外側面
１２ｅ  ネジ受部
１３  突出脚部
１４  回動軸部
２０  回動部材
２１  回動部
２２  押さえ部
２３  内側面
２４  当接部
２５  ネジ取付部
２６  ネジ孔
３０  ネジ部材
３１  頭部
３２  軸部
３３  先端
３５  クリップナット
３５ａ，３５ｂ  クリップベース
３５ｃ，３５ｄ  固定穴
４０  パネル
４０ａ  上端部
４０ｂ  下端部
４０ｃ  左端部
４０ｄ  右端部
Ｓ  スペース
【図１】
0006406757.tif 000002
【図２】
0006406757.tif 000003
【図３】
0006406757.tif 000004
【図４】
0006406757.tif 000005